Podtech/llm-jp-corpus-v4-ja_patent huggingface dataset:
(57)【要約】      （修正有）【課題】廻り内径の踏み面幅確保できることで全体勾配緩やかになり、昇降すれ違いの際の安全性向上、発光手摺りで暗い時のテスリ確認しやすく足元の照明効果のある組立式ねじり階段を提供する。【解決手段】１８度角設定で扇状踏板の内径部の踏み面最低２００ミリ以上確保でき、外径部４００ミリ以上となる。手摺りはアクリル棒４０ミリをねじり曲げ、内径部側に取付け、発光させて目視できる様にした。【選択図】図４
0003123480.tif 000002
【実用新案登録請求の範囲】
【請求項１】
内径外径を有する１８度角扇形踏板、構造部材、化粧部材をユニットとし、組立式であることを特徴とするねじり形状階段。
【請求項２】
光を通す泡入りクリアアクリル樹脂棒をねじり曲げ、切り口部にＬＥＤライトを取付け棒内部の泡を発光させることを特徴とする、請求項１記載の階段に合体させる。
【考案の詳細な説明】
【技術分野】
【０００１】
階段形状と手摺り形状及びユニットによる組立式に関する。
【背景技術】
【０００２】
従来の階段は、廻り段の中心部とがった形状（踏面狭い）図２  図３に表わす。手摺り取付け位置は廻り内側でなく、外側面が一般的である。
【考案の開示】
【考案が解決しようとする課題】
【０００３】
しかしながら以上の技術によれば、廻り部分で昇降の人がすれ違う際、内側を通る人は足場が狭く、手摺りは外側面にあり万が一の場合の危険性高い。暗い時は足場も手摺りも確認できない。
【課題を解決するための手段】
【０００４】
１８度角設定で扇状踏板の内径部の踏み面最低２００ミリ以上確保でき、外径部４００ミリ以上となる。手摺りはアクリル棒４０ミリをねじり曲げ、内径部側に取付け、発光させて目視できる様にした。
【考案の効果】
【０００５】
廻り内径の踏み面幅確保できることで全体勾配緩やかになり、昇降すれ違いの際の安全性向上、発光手摺りで暗い時のテスリ確認しやすく足元の照明効果もある。曲線部が多く直線主流の建築のイメージアップ、人に優しいものづくり（ユニバーサルデザイン）でもある。
【考案を実施するための最良の形態】
【０００６】
図１に示す斜面図は組立式ねじり形状の階段、扇形の踏板１構造材２化粧材３による組み合わせで構成し手摺り部材４を合体させたものである。扇形踏板１の寸法設定は建築モジュールに合わせ決定する。まず角度は廻り９０度を５段割りする１段１８度とし扇の内円は円中心からモジュールの半分、外円はプラス、モジュール寸法で理想寸法に一番近い階段ピッチとなる、扇踏板の使用枚数は中段に踊場を設置する意味から７枚がベター蹴上げ寸法は１９０ミリとする。子供高齢者が安全かつ安心して使用できる。構造階高より割り出す最良の条件からなることで決定とする。構造材２に関して言えば従来躯体ものとして、建築現場で加工、手間のかかるその躯体構造材を組立て加工部材にすると精度よく現場作業が早くコストダウン。化粧材３は別発注で対応していたものを階段セット品とし加工することでデザイン性精度向上、現場作りがいらなくなり組立のみでよくなる。手摺り部材４は一般住宅に取り入れられていない。新発想の発光アクリル樹脂を用い、曲げに苦労していた他の材の欠点を解決。発光する所へ目をつけＬＥＤライトを取付け手摺りが照明の役割をする。４項目の組み合わせにより考案の最良の形態とする。材質を他のものに変換しても考案の形状は作ること可能。
【実施例１】
【０００７】
階段全段完成の構図は、７段まで考案のねじり階段８段目踊場９段から上、直段から成る形態で安全、価格、機能、構造、実用、デザイン性など総合で考えた時この形が結果として出来上がる。この他にも通ずるものはあるが、何かを変えればプラスになりマイナスになる平均的条件で作る内容がこの組み合わせ。
【産業上の利用可能性】
【０００８】
一般住宅だけでなく店舗、事務所、公共場所での使用も可。
【図面の簡単な説明】
【０００９】
【図１】斜視図１，２，３，４の組み合わせによる組立完成図である。
【図２】従来使用されているラセン階段のとがった形状と手摺りの位置を示す斜視図である。
【図３】従来使用されている廻り階段のとがった形状と手擦りの位置を示す斜視図である。
【図４】考案部分の拡大図である。
【符号の説明】
【００１０】
１扇形の踏板
２構造材
３化粧材
４手摺り部材
イ階段のとがった形状
ロ手摺りの位置
【図１】
0003123480.tif 000003
【図２】
0003123480.tif 000004
【図３】
0003123480.tif 000005
【図４】
0003123480.tif 000006
【手続補正書】
【提出日】平成18年5月16日(2006.5.16)
【手続補正１】
【補正対象書類名】実用新案登録請求の範囲
【補正対象項目名】請求項２
【補正方法】変更
【補正の内容】
【請求項２】
光を通すアクリルクリア樹脂泡入り棒を螺旋状にねじり曲げ、切り口部に１００ボルト電源用ＬＥＤライトを取り付け、棒内部の泡を発光させることを特徴とする手摺り。
(57)【要約】【課題】従来の短針・長針による時刻指示、短針・長針の動きに併せた液晶表示による時刻指示、数字の桁上げによる時刻指示より脱却し新しい形式での時刻指示を行うものである。【解決手段】色の動き・変化により時間、分の時刻指示を行うものである。色の表示は、ＬＥＤランプの集合によるもの、カラー液晶機、カラーモニター、その他色表示が容易な機器にて行う。それら表示機の大きさにより柱時計、卓上時計、腕時計、その他時計全般に使用できる。色表示における表示形態、表示色を変更することにより、使用者独自の時刻表示形態の設定が可能となる。また、時刻指示も短針・長針を使用する回転方式だけでなく、左右・上下・斜め方向の色移動と変化による時刻指示が可能となる。【選択図】図１
0003123458.tif 000002
【実用新案登録請求の範囲】
【請求項１】
色表示のみで、色の変化と移動により、時刻を指示する時計。
【請求項２】
色の設定は自由に選択可能。色表示形態も選択可能。
【請求項３】
回転式時刻指示形態だけでなく、色の左右・上下・斜めの移動・変化により時刻指示が可能。
【考案の詳細な説明】
【技術分野】
【０００１】本考案は、柱時計、卓上時計、腕時計、その他時計全般の時刻指示方式に関する。
【背景技術】
【０００２】従来の時計は、短針・長針により時刻を指示するもの、または、数字により時刻を指示するものが大半である。【０００３】よって、従来の時刻指示は、回転式もしくは数字の桁上げ方式による。【０００４】なお、本考案に関連する公知技術として次の特許文献１を挙げることができる。【０００５】
【特許文献１】  特許公表平１０−５０４４００
【考案の開示】
【考案が解決しようとする課題】
【０００６】上述の如く、従来の時計は短針・長針により時刻指示をしたり、液晶表示上に短針・長針を表示し時刻指示をしたり、短針・長針の動きに併せて液晶表示が動作する方式が取られている。よって、短針・長針の存在や同様の表示なくしては、時刻指示が難しい。また、これらの場合、時刻指示は回転方式によるものである。【０００７】また、時刻指示が回転方式以外のものに、数字表示方式がある（一般にデジタル方式と言われる）。これは、時間・分を数字で表示し、時間に併せて数字の桁が上がるというものである。【０００８】本考案は、短針・長針による時刻指示、短針・長針の動きに併せた液晶表示による時刻指示、数字の桁上げによる時刻指示、を脱却し新しい形式での時刻指示を行うものである。
【課題を解決するための手段】
【０００９】本考案は、色の動き・変化により時間、分の時刻指示を行うものである。【００１０】色の表示は、ＬＥＤランプの集合によるもの、カラー液晶機、カラーモニター、その他色表示が容易な機器にて行う。それら表示機の大きさにより柱時計、卓上時計、腕時計、その他時計全般に使用できる。
【考案の効果】
【００１１】色表示による時刻指示は、短針・長針を使用しない回転方式だけでなく、左右移動、斜行移動、上下移動方式も可能となる。【００１２】色の移動方向、表示色、色の表示形態の選択がパソコンを利用して可能となる。よって、使用者ごとに好みの色表示設定が可能となり、与えられたＬＥＤランプ表示内や液晶表示内で、独自の色時刻指示の設定が可能となる。
【考案を実施するための最良の形態】
【００１３】以下、本考案の実施形態を図例に基づき詳細に説明する。【００１４】図１〜２は、色による時刻指示例を示している。両図例において、上部にある濃い青色部が短針を示し、下部にある緑色部が長針を示している。両図例の上部左端が０時、上部右端が１２時、よって上部の真中が６時、その６時を中心として左右菱形のくびれ点がそれぞれ３時と９時を示している。同様に、両図例の下部左端が０分、下部右端が６０分、下部の真中が３０分、その３０分を中心として左右菱形のくびれ点がそれぞれ１５分と４５分を示している。【００１５】短針である濃い青色部は、１時間ごとに左から右に移動する。同様に長針である緑色部も５分ごとに左から右に移動する。これら移動する青色と緑色が表示内でどこに位置しているかで、時間と分を読み取る。図例１の場合は２時４０分、図例２の場合は６時２５分を示している。【００１６】以上、本考案実施の形態を図例にて説明したが、本考案の範囲はこれに限定されるものではない。これは、表示形態、また色設定により時刻の読み取りが変わることによる。【００１７】色時計の表示形態は、一つ固定のもの以外に、色時計内部に各表示形態を記録させそれを読み出すことにより選択できる、またパソコンを介しても選択できる。表示形態選択においては、色の選択もできる。
【産業上の利用可能性】
【００１８】独自の表示形態と色設定により、色時計は時計としてだけでなく、インテリアとしての使用も可能である。また、ＬＥＤランプ使用の場合、その明るさから証明の一部としての使用も可能である。よって設置場所、サイズも含め、従来の時計の時刻指示という役割以上の可能性がある。【００１９】独自の表示形態と色設定により、設定者とその仕組みを理解している者のみが指示時刻を理解できることになり、時刻を知られたくない環境での使用が可能である。
【図面の簡単な説明】
【００２０】
【図１】色時計の表示図例。表示左より右に色の移動により時刻を指示する。２時４０分を示す。
【図２】色時計の表示図例。表示左より右に色の移動により時刻を指示する。６時２５分を示す。
【図３】回転式色時計を利用した、柱時計図例。
【図４】左右色移動表示を持つ腕時計図例。
【図１】
0003123458.tif 000003
【図２】
0003123458.tif 000004
【図３】
0003123458.tif 000005
【図４】
0003123458.tif 000006
【手続補正書】
【提出日】平成18年4月14日(2006.4.14)
【手続補正１】
【補正対象書類名】実用新案登録請求の範囲
【補正対象項目名】全文
【補正方法】変更
【補正の内容】
【実用新案登録請求の範囲】
【請求項１】
時計の時刻表示盤であって、
複数の区画を一連に配置したゲージ状の時を表す表示部と、
複数の区画を一連に配置したゲージ状の分を表す表示部とを有し、
前記時を表す表示部及び前記分を表す表示部それぞれの各区画の色の変化により時刻を表示することを特徴とする時刻表示盤。
【請求項２】
時計の時刻表示盤であって、
複数の区画を一連に環状に配置したゲージ状の時を表す表示部と、
前記時を表す表示部の環の外側又は内側に沿って複数の区画を一連に環状に配置したゲージ状の分を表す表示部とを有し、
前記時を表す表示部及び前記分を表す表示部それぞれの各区画の色の変化により時刻を表示することを特徴とする時刻表示盤。
【請求項３】
前記時を表す表示部及び前記分を表す表示部は、それぞれ、１２に区画されていることを特徴とする請求項１または請求項２に記載の時刻表示盤。
【請求項４】
前記時を表す表示部のゲージの各区画と前記分を表す表示部のゲージの各区画とが互いに重ならないことを特徴とする請求項１ないし請求項３に記載の時刻表示盤。
(57)【要約】      （修正有）【課題】タバコケースを開封後、タバコを取り出す時またはケースの向きを変えることにより、開口部よりタバコ葉がこぼれることを防止する。【解決手段】タバコケースの内底に粘着性素材を有し、ケース内部でこぼれたタバコ葉をその粘着性素材に付着させる。【選択図】図１
0003123452.tif 000002
【実用新案登録請求の範囲】
【請求項１】
タバコケースまたはパックの内底に粘着性素材を有したタバコのケースまたはパック。
【考案の詳細な説明】
【技術分野】
【０００１】  本考案は刻みタバコのこぼれを防止するためのタバコケースまたはパック、以下ケースに省略、に関するものである。
【背景技術】
【０００２】  従来、タバコケースの内部は内包装紙の中に直接複数本のタバコが置かれた状態であった。
【考案の開示】
【考案が解決しようとする課題】
【０００３】  タバコケースを開封後、タバコを取り出す時またはケースの向きを変えることにより、開口部よりタバコ葉がこぼれてしまうことがあった。
【課題を解決するための手段】
【０００４】  本考案のタバコケースはケースの内底に粘着性素材を有し、ケース内部でこぼれたタバコ葉をその粘着性素材に付着させる。
【考案の効果】
【０００５】  タバコケースの底に貼付された粘着性素材により、タバコからこぼれた葉がケースの底に付着することにより、たばこの取り出しやケースの傾きによってタバコ葉がケースからこぼれることを防止することができる。
【考案を実施するための最良の形態】
【０００６】  タバコケースの内底、タバコの着火部側と接する部分に粘着性素材を貼付する。粘着性素材については、タバコそのものがケースに付着し取り出しに支障が出ないよう、ケース内部にこぼれた葉が定着する程度の適度な粘着力を有するものとする。例えばケースの内底に市販の紙を用いた両面テープ等を貼付させたような形態でもよい。
【実施例】
【０００７】  以下、添付図面に従って実施例を説明する。１図、２図においてタバコケースの内底１には粘着性素材２が貼付されている。これにより、タバコの着火部３からこぼれた葉４はケースの内底１にとどまり、ケースの傾き等に関わらずケースの開口部５からタバコ葉が落ちるのを防止することとなる。
【図面の簡単な説明】
【０００８】
【図１】一般的なタバコケースを示した斜視図その１である。
【図２】一般的なタバコケースを示した斜視図その２である。
【符号の説明】
【０００９】  １内底
２粘着性素材
３タバコの着火部
４タバコからこぼれた葉
５ケースの開口部
６内包装紙
７タバコケース本体
８タバコ
【図１】
0003123452.tif 000003
【図２】
0003123452.tif 000004
(57)【要約】【課題】      お墓にお供えした飲み物などが風雨で倒れてしまう不都合を課題とする。【解決手段】  石に穴をあけ、飲み物を差し入れて立てて使用し、風雨でも倒れない課題を解決した。さらにその石の穴を重ねずらしあけることにより狭い場所でも設置できる。またお供えの飲み物の置き方は複数可能である。【選択図】図１
0003123453.tif 000002
【実用新案登録請求の範囲】
【請求項１】
石に穴を開け、器に入った飲み物を立ててお供えする飲み物立て具である。
【請求項２】
請求工１の飲み物立て具の穴は重ねずらしてあり、複数の使い方ができる。
【考案の詳細な説明】
【技術分野】
【０００１】    本考案は、墓などに使用するお供え用飲み物立て具である。
【背景技術】
【０００２】    従来飲み物は直接墓の上に置いていた。
【考案の開示】
【考案が解決しようとする課題】
【０００３】    しかし、これでは風雨が強い時には飲み物が倒れてしまうため不都合である。
【課題を解決するための手段】
【０００４】    そこで、石に穴を開け、その穴の中に器入りの飲み物を差し入れて置き、倒れないようにする。さらに、穴を重ねずらしてあけることにより複数の使い方が可能である。石は重いので飲み物立て台が墓に接している面をくり抜き、重量を軽くし、持ちやすくした。
【考案の効果】
【０００５】    よって、本考案の飲み物立て具により、飲み物が倒れたり割れたりせず清潔で安全である。また穴を重ねあけることによって少スペースで利用することができ、お供えの飲み物の組み合わせが複数可能である。お墓との台の設置面をくり抜いた事により、重量が軽くなり、持ちやすく掃除の時には便利である。
【考案を実施するための最良の形態】
【０００６】    本考案に係る、飲み物立て具１、図１に示すように穴Ｈを、備えている。そしてこの穴に飲み物Ｄを差し入れる。この時飲み物が１本の時は、中央に図２のように、２本の時は、図３のように、左右対称にお供えできる。また、飲み物台と墓との接地面がくり抜いてあるためＫ、軽く、持ちやすくなっている。図４は、お墓に飲み物立て具図１を設置した状態である。
【図面の簡単な説明】
【０００７】
【図１】      本考案に係る飲み物立て具である。
【図２】      本考案に係る飲み物立て具に飲み物をお供えした図である。
【図３】      本考案に係る飲み物立て具に飲み物を２本お供えした図である。
【０００８】１  飲み物立て台本体
２  墓
Ｄ  飲み物
Ｈ  穴
Ｋ  くり抜き部分
【図１】
0003123453.tif 000003
【図２】
0003123453.tif 000004
【図３】
0003123453.tif 000005
【図４】
0003123453.tif 000006
【手続補正書】
【提出日】平成18年5月17日(2006.5.17)
【手続補正１】
【補正対象書類名】実用新案登録請求の範囲
【補正対象項目名】全文
【補正方法】変更
【補正の内容】
【実用新案登録請求の範囲】
【請求項１】
お墓に飲み物を供える飲み物立て具において、
一定の高さを有するテーブル形状の石製飲み物立て台本体と、
前記飲み物立て台本体の上面に飲み物容器が係留可能とされる穴が貫設される
ことを特徴とする風雨にも倒れず複数の使い方ができるお墓用お供え飲み物立て具。
【請求項２】
前記穴が複数個重ねずらされた構成とする
ことを特徴とする請求項１記載の風雨にも倒れず複数の使い方ができるお墓用お供え飲み物立て具。
【手続補正２】
【補正対象書類名】明細書
【補正対象項目名】０００４
【補正方法】変更
【補正の内容】
【０００４】
本考案に係る風雨にも倒れず複数の使い方ができるお墓用お供え飲み物立て具は、お墓に飲み物を供える飲み物立て具において、一定の高さを有するテーブル形状の石製飲み物立て台本体と、前記飲み物立て台本体の上面に飲み物容器が係留可能とされる穴が貫設される。
ここで、石製の飲み物立て台本体に穴を開け、その穴の中に容器入りの飲み物を差し入れて置くことにより、風雨により倒れることがない。
また、穴を重ねずらして開けることにより複数の使い方が可能となる。更に石製飲み物立て台本体をテーブル形状とすることにより重量が軽くなり、かつ持ちやすくなる。
【手続補正３】
【補正対象書類名】明細書
【補正対象項目名】０００７
【補正方法】変更
【補正の内容】
【０００７】
【図１】本考案に係る飲み物立て具の一例を示す説明図である。
【図２】本考案に係る飲み物立て具に飲み物をお供えした状態を示す説明図である。
【図３】本考案に係る飲み物立て具に飲み物を２本お供えした状態を示す説明図である。
【図４】本考案に係る飲み物立て具をお墓に設置した状態を示す説明図である。
(57)【要約】【課題】    本考案は、地震の時に扉や引き戸が開かない様、耐震ロック装置を考案したものである。【解決手段】  本考案は、以前に考案された、耐震ロック装置には本案の様な簡単で安価に出来るものが無かった。地震の時に扉や引き出しが開かない様、鋼板を折り曲げ、片方はピン固定が出来る様丸めもう一方は鍵状の引っ掛かりを作り管の中に組み込み、扉や引き出しに取り付け、鍵状の引っ掛かりに引っ掛ける金具を本体の戸棚に取り付け、地震の時に、扉や引き出しが開かない様にする耐震ロック装置で、前述の問題点を解決した。【選択図】図１
0003123491.tif 000002
【実用新案登録請求の範囲】
【請求項１】
地震の時に扉や引き出しが開かない様、鋼板を折り曲げ、片方はピン固定が出来る様丸めもう一方は鍵状の引っ掛かりを作り管の中に組み込み、扉や引き出しに取り付け、鍵状の引っ掛かりに引っ掛ける金具を本体の戸棚に取り付け、地震の時に扉や引き出しが開かない様にする耐震ロック装置。
【考案の詳細な説明】
【技術分野】
【０００１】本考案は、地震の時に扉や引き出しが開かない様、耐震ロック装置の考案に関するものである。
【技術背景】
【０００２】以前に考案された、耐震ロック装置には本案の様な簡単で安価に出来るものがなかった。本案は摘まみ管の内側の鋼板を摘む事により、内側の鍵状の引っ掛かり部が止め金具より外れ外側へ引き出すことが出来る。
【考案の開示】
【考案が解決しようとする課題】
【０００３】本考案は、地震の時に扉や引き出しが開かない様にする、耐震ロック装置で従来の複雑な構造で高価なものと違い、簡単で安価に出来る事で解決しようとするものである。
【課題を解決するための手段】
【０００４】本考案は、以前に考案された、耐震ロック装置には本案の様な簡単で安価に出来るものがなかった。地震の時に扉や引き出しが開かない様、鋼板を折り曲げ、片方はピン固定が出来る様丸めもう一方は鍵状の引っ掛かりを作り管の中に組み込み、扉や引き出しに取り付け、鍵状の引っ掛かりに引っ掛ける金具を本体の戸棚に取り付け、地震の時に扉や引き出しが開かない様にする耐震ロック装置で、前述の問題点を解決している。
【考案の効果】
【０００５】前述の様に、本考案の耐震ロック装置は、以前に考案された、従来の複雑な構造で高価なものと違い、簡単で安価に出来る効果がある。
【考案の実施するための最良の形態】
【０００６】本考案は、地震の時に扉や引き出しが開かない様にする、耐震ロック装置で従来の複雑な構造で高価なものと違い、簡単で安価に出来る事で解決しようとするものである。
【実施例】
【０００７】以下、添付図面に従って一実施例を説明する。１は鋼板を折り曲げ、片方はピン固定が出来る様丸めもう一方は鍵状の引っ掛かりを設けた鋼板鍵、２は鍵を掛ける金具、３は鋼板鍵を固定する管本体。
【図面の簡単な説明】
【０００８】
【図１】  断面図（指で摘まみ引き出す図）
【図２】  図１の左側側面図
【符号の説明】
【０００９】１  鋼板鍵
２  鍵を掛ける金具
３  管本体
【図１】
0003123491.tif 000003
【図２】
0003123491.tif 000004
(57)【要約】【課題】  本考案は、印鑑を使うとき指先で傾きを見込み調整しながら押印しているのを、押印器本体を基準にして修正済の確定された印鑑を使うものである。【解決手段】  印鑑の上下と傾きは、印鑑判別導入環に印鑑を通して堅固に動かないように付けたものを判別印鑑保持部に収めると確定してくれる。小さい印鑑から大きい押印器へと拡大されたことになってより正確に目的個所の水平垂直に合わせることができる。【選択図】図３
0003123500.tif 000002
【実用新案登録請求の範囲】
【請求項１】
印鑑の外側に、固く装着した上下と傾きを自動的に修正済にする２個の導入片を備えた印鑑判別導入環と、対の導入片の受口と、印鑑の保持と上下動を受持つスプリングを内蔵した判別印鑑保持部である。
【考案の詳細な説明】
【技術分野】
【０００１】  本考案は、いろいろな形の印鑑に固定した印鑑判別導入環と、受け口の判別印鑑保持部に関するものである。
【背景技術】
【０００２】  押印は、普通指先で細かい傾きを調整しながら行っている。
【考案の開示】
【考案が解決しようとする課題】
【０００３】  見込み調整であるので、印影のできばえは予想通りにはなりにくい。
【課題を解決するための手段】
【０００４】  印鑑に上下と傾きを判別する導入環を堅く取り付ける。受口である保持部は、押印器本体に常時修正済で固定されている。受口に印鑑を収めるとすぐに修正済となる。
【考案の効果】
【０００５】  印鑑より大きな押印器本体を定規に見立て、水平垂直を合わせて押せばいつも安定した印影を作ることができる。
【考案を実施するための最良の形態】
【０００６】  押印器本体の上と下には取りはずしができる蓋がある。下の蓋のなかには朱肉が入れてある。印鑑は保持部内のスプリングで上下動は自由にできるが、待期のときは朱肉より少し浮いて保持されている。使用のときには印鑑を押して朱肉を付けたあと、押印器本体を使用個所に移して押印する。終れば印鑑を保持部から抜き取って、押印器本体に収納して上下の蓋をする。
【実施例】
【０００７】  以下、添付図面に従って一実施例を説明する。１は透明な耐久性プラステック製の押印器本体、２は上蓋、３は下蓋、４は印鑑で５の印鑑判別導入環に６の導入片がついたものを固く動かないように装着して７の判別印鑑保持部に導入する。８はスプリングで印鑑を１０の朱肉より浮かせて保持している。９はスプリングの押え板である。まず５の印鑑判別導入環を印鑑に堅固に装着して、７の判別印鑑保持部に導入する。使用は朱肉から浮いた位置に保持されている印鑑を押して朱肉を付けたあと、押印器本体を移動させて押印する。これら一連の動きは何度でも継続使用ができる。素朴な見込み押印から一歩進んだ機械的な押印ができることになる。
【図面の簡単な説明】
【０００８】
【図１】  本考案の人差指でも使える印鑑の傾き修正済押印器本体の斜視図である。
【図２】  押印器の平面図である。
【図３】  押印器の断面図である。
【符号の説明】
【０００９】  １  押印器本体
２  上蓋
３  下蓋
４  印鑑
５  印鑑判別導入環
６  導入片
７  判別印鑑保持部
８  スプリング
９  スプリング押え
１０  朱肉
【図１】
0003123500.tif 000003
【図２】
0003123500.tif 000004
【図３】
0003123500.tif 000005
(57)【要約】【課題】    本考案はレインコートの裾からズボンや足に雨の水滴が着くため、カッパズボンを履かなければならなく、カッパズボンを履くと同時に靴を脱ぐなどに対し簡易性を設ける。【解決手段】本考案レインコート本体にフットガードをセットする、レインコートの下部ボタンは膝位置にし、膝横レインコート内面に対称上部にボタンを縦一列に付けフットガードのレインコート取付けボタンをはめ長方形のフットガードを足に巻く様に両端のボタンで筒状にして裾を長靴の外に出す、これによりスカートや、ズボン等を簡単に水滴から防ぐ濡れ防止に役立つ。【選択図】図１
0003123497.tif 000002
【実用新案登録請求の範囲】
【請求項１】
レインコート本体にフットガードを設ける、フットガードの素材はレインコート本体の素材と同種で長方形とし両端にオスボタン、メスボタンを一列につけ両端をこのボタンで留めることにより、筒状になり、その対称面にもボタンを設ける、これはレインこコート本体の膝の位置を基準に膝横にあたるレインコート内面に設けたボタンに取り付けることによりレインコートにフットガードがセットされる、これでズボンや足をフットガードにより、レインコートの裾からの水滴による濡れ防止及び地面からの跳ね返りの濡れ汚れ防止機能を持ちなお簡単に装着、脱着が可能なフットガード付きレインコートである。
【考案の詳細な説明】
【技術分野】
【０００１】  本考案はレインコートの裾からの水滴からズボンないし足を守るフットガード付きレインコートである。
【背景技術】
【０００２】  レインコートを使用する際には、カッパズボンによりズボンないし足を水滴から守っていた。
【考案の開示】
【考案が解決しようとする課題】
【０００３】  レインコートにおけるカッパズボンはレインコートと別に用意し、スカートや靴では一度脱がなければならなく着用する人に時間的労働的負担である。従ってレインコートとカッパズボンの機能とを一体化することにより着衣の装着の簡単さにより前述の欠点を解決しようとするものである。
【課題を解決するための手段】
【０００４】  本考案はレインコート本体にフットガードを設けボタンによって取付、取外し、自在となるようにしフットガードによって足を包むようにボタンで装着させることでカッパズボンによる脱着の問題点を解決している。
【考案の効果】
【０００５】  上述の様に本考案のフットガードはレインコート本体に取付けし、レインコートの裾からの水滴によるズボンや足の濡れるのを防ぐものであり簡単に取付け取外しが出来、濡れ防止として役立つ。
【考案を実施するための最良の形態】
【０００６】  レインコート本体は膝位置を基準に、膝横から踝の線をレインコート内面左右に設け、ボタンが付く、レインコート前留めボタンは最低膝下、フットガードは長方形で横の長さは膝から踝のズボンを包む長さ、縦は膝の位置より上から踝までの長さ、両端をボタンで留めたその対称面に、レインコートに取付けるボタンを設ける、効果としてレインコートにフットガードを取付けし両端ボタンで足を包むことにより簡単で濡れない。
【実施例】
【０００７】  以下、添付図面に従って一実施例を説明する。１はレインコート本体で本考案では、ａ−１レインコートのオスボタン、ａ−２レインコートのメスボタンで、裾に最も近い下部ボタンの位置は最低膝より下に設ける、ｂ−１セットボタンは膝横を基準にレインコート内面に最初のボタンを設けるこれらのボタンの位置関係により、雨がフットガードの最上部にあたらない又、ｃ−１ボタンは補強面を使い素材を強化している。【０００８】２はフットガードで、ｂ−２セットメスボタンによりレインコート本体のｂ−１セットボタンに取付けられる。フットガード自体は右足左足におなじＥ−１フットガード補強重ね面をつけてもよいが、できれば前面からの雨風により重ね面が開かない様に、左右により、ｄ−１フットガードオスボタン、ｄ−２フットガードメスボタン、Ｅ−１フットガード補強かさね面等右用、左用を用いる。【０００９】  １のレインコート本体に、２のフットガードをｂ−１セットオスボタンとｂ−２セットメスボタンにより取付け足にｄ−１フットガードオスボタン、ｄ−２フットガードメスボタンにより、包み込むようにセットし２のフットガード裾は長靴の外に出す。取外しは逆順に行うことにより、装着、脱着が簡単である。
【図面の簡単な説明】
【００１０】
【図１】本考案のフットガード付きレインコートの一実施例を示す全体図である。
【図２】レインコートに本考案のフットガード取付けボタン位置を示す正面図である。
【図３】本考案のフットガードの展開図である。
【図４】本考案のフットガードをボタンで筒状に留めた立体図である。
【符号の説明】
【００１１】  １      レインコート本体
２      フットガード
ａ−１  レインコートオスボタン
ａ−２  レインコートメスボタン
ｂ−１  セットオスボタン
ｂ−２  セットメスボタン
ｃ−１  ボタン補強面
ｄ−１  フットガードオスボタン
ｄ−２  フットガードメスボタン
Ｅ−１  フットガード補強面
【図１】
0003123497.tif 000003
【図２】
0003123497.tif 000004
【図３】
0003123497.tif 000005
【図４】
0003123497.tif 000006
(57)【要約】【課題】照明光源の取替え、変更をすることなく、照明器具の色調、光環境の制御、管理を容易に行うことを可能にする。【解決手段】発光色の異なる複数の固体半導体発光デバイスと、発光色毎に独立して発光光束を変更するための制御回路を有し、インターネットや携帯電話、また携帯端末等を使用した通信回線を通じて供給されるプログラムにより発光光束を制御する機構を具備する、光環境制御照明システム【選択図】図１
0003123496.tif 000002
【実用新案登録請求の範囲】
【請求項１】
発光色の異なる複数の固体半導体発光デバイスと、発光色毎に独立して発光光束を変更するための制御回路を有し、インターネットや携帯電話、また携帯端末等を使用した通信回線を通じて供給されるプログラムにより発光光束を制御する機構を具備する、光環境制御照明システム
【考案の詳細な説明】
【技術分野】
【０００１】本考案は、インターネットや携帯電話、また携帯端末等を使用した通信回線により光環境制御を行うための照明装置、システムに関する。
【背景技術】
【０００２】現在の照明器具を代表する蛍光灯照明器具は、その搭載する蛍光ランプの発光色を相関色温度［単位：Ｋ（ケルビン）］により区分している。蛍光ランプにおける相関色温度による区分例としては、昼光色（６５００Ｋ）、昼白色（５０００Ｋ）、白色（４２００Ｋ）、温白色（３５００Ｋ）、電球色（３０００Ｋ）［（  ）内は相関色温度］等がある。蛍光ランプは、一度製作されてしまうと、その発光色（相関色温度）を容易に変更することが出来ない。照明器具設置後にその光環境の相関色温度を変更したい場合には、蛍光ランプそのものを交換する必要があり、簡便に行うことが困難であった。【０００３】近年発光ダイオード（Ｌｉｇｈｔ  Ｅｍｉｔｔｉｎｇ  Ｄｉｏｄｅ＝ＬＥＤ）を光源とした一般照明用ＬＥＤ器具が開発されている。ＬＥＤは１光源素子（ＬＥＤチップ）当りの光束が小さいため、一般の環境照明用として使用するには、その対象としている場に複数の同一色ＬＥＤチップを設備する必要があった。個々のＬＥＤチップは、一度製作されてしまうとそのチップの発光色を容易に変更することは出来ない。しかし、１つの場に複数の異なる発光色のＬＥＤチップを設備する（１つの器具に複数の異なる発光色のＬＥＤチップを搭載する）のであれば、それらのチップの発光光束を個別に（或いは同一発光色毎にまとめて）調整・制御することにより、ＬＥＤ光源を差替えること無く、異なる発光色の光を得ることが出来る。【０００４】近年の通信技術・機器・システムの発達、光回線等を用いたブロードバンド化、また詳細な地域環境情報の管理、発信等から、インターネットや携帯電話、携帯端末等を使用した通信回線を介した双方向のデータ伝送、通信制御が可能である。
【考案の開示】
【考案が解決しようとする課題】
【０００５】照明光源の取替え、変更をすることなく、照明器具の色調、光環境の制御、管理を容易に行うことを可能にする。
【課題を解決するための手段】
【０００６】発光色の異なる複数の固体半導体発光デバイスと、発光色毎に独立して発光光束を変更するための制御回路を有し、インターネットや携帯電話、また携帯端末等を使用した通信回線を通じて供給されるプログラムにより発光光束を制御する機構を具備する、光環境制御照明システム【０００７】少なくとも２つ以上の別個に調整可能な発光光源アレイまたはモジュールの各色光束量を変動することにより、照明光源の色調を制御する。２つ以上の別個に調整可能な発光光源とは、例えば青系ＬＥＤデバイスと黄色系ＬＥＤデバイスの２つ、光の３原色赤、緑、青の３つのＬＥＤデバイス、または光の３原色赤、緑、青ＬＥＤにオレンジ色ＬＥＤ等を加えたもの等である。各発光光源は、少なくとも１組の固体半導体デバイスを使用するものとし、レーザー・ダイオードなどのＬＥＤ以外の固体半導体デバイスを用いることも可能である。【０００８】光の３原色赤、緑、青の固体半導体デバイスを使用した照明光源では、構成される各色発光光源の光束量を調整することにより、ＣＩＥ色度図上において、各３色を頂点とする三角形内部の任意の色調を発色することができる。黒体の温度を現す黒体放射線はこの３角形内にあることから、本照明光源は、一般に蛍光灯照明器具の発色を区分する各相関色温度点、また任意の相関色温度点を発色することが可能である。【０００９】色調調整可能な照明光源を、通信回線を介してプログラムに接続し、光環境制御を行う。照明光源・器具が通信回線接続されている地点の位置情報を、天候等のローカル環境情報に変換してプログラムへ伝送する。プログラムでは、季節、時間等の情報も加味して、最適な光環境を構築するための制御情報、または任意の制御情報を照明光源・器具へ伝送し、色調調整、光環境制御・管理を行う。
【考案の効果】
【００１０】照明器具、照明光源の変更、取替えをすることなく、照明の色調、相関色温度の調整が可能であり、光環境制御、管理を行うことができる。通信回線を介したプログラム制御により自動で光環境を管理することにより、使用者は居ながらにして最適な照明環境を享受できる。感情や気分情報に対応する制御プログラムを作成することにより、使用者の状況に応じた光環境調整も可能である。
【考案を実施するための最良の形態】
【００１１】通信回線による双方向データ伝送が可能で、照明光源・器具を設置、または利用できること。
【実施例】
【００１２】パーソナルコンピューター（パソコン）利用時のデスクライトに使用して、照明器具の色調または相関色温度を調整、管理し、利用者の生体リズム補正を行う。【００１３】通信回線を介して提供される制御情報を、ローカルエリアネットワーク（ＬＡＮ）システム等により複数の照明光源・器具に伝送し、室内または、建物内の全ての光環境を一括制御、管理する。【００１４】遠隔地からの光線治療や、複数の異なる地点間での光環境の共有が可能である。
【図面の簡単な説明】
【００１５】
【図１】本考案による光環境制御可能な照明システムのフローチャートである。
【図１】
0003123496.tif 000003
(57)【要約】【課題】中ポケット状のファイル帳、一ポケットには書類を数枚入れることが多く、下になっている書類は取り出さなければ何か確認できず、また取り出しにくかった。【解決手段】ポケットの折り曲げ部上部に縦に切り込みを入れる。切り込み以外の折り曲げ部分は切り込み拡大を防止するために溶着し補強する。表紙本体に中ポケットの書類をめくることが出来る部分を表紙本体と色別して表すことで、ファイルの上下判断が出来る。【選択図】図１
0003123430.tif 000002
【実用新案登録請求の範囲】
【請求項１】
一辺を開放したポケット状のシート（１）の開放された一辺（２）に隣接する二辺のうち一辺を数枚綴った（３）ファイル帳において、残り一辺の折り曲げ部上部に縦に切り込み（４ａ）を入れて，切り込み以外の折り曲げ部を溶着して補強（４ｂ）したファイル帳。
【請求項２】
ファイル帳の表紙（５）上に、中ポケットの切り込みの最下部と綴じ込み部の最上部とを線で結び、出来た三角形（６）を表紙の色と別にして表した。
【考案の詳細な説明】
【技術分野】
【０００１】この考案は、ファイル帳の中ポケットに収納された書類が容易に出し入れ出来、かつ一枚のポケットに書類を数枚入れた場合、下になっている書類の判別をしやすく、まためくれるようにした。また表紙部分にも開放部を表示したファイル帳に関するものである。
【背景技術】
【０００２】従来のファイル帳は折り曲げ部に切り込みのない、上部の一辺のみが開放された技術が知られている
【特許文献１】  実開  昭和６３−９４７７６公報
【考案の開示】
【考案が解決しようとする課題】
【０００３】これには次のような欠点があった。一枚のポケットには数枚入れることが多く下になっている書類は取り出さなければ何か確認できず、また取り出しにくかった。本考案は以上の欠点を解決し、下になっている書類の判別と取り出しやすさを提供すること、また解決した課題を表紙に表示することによりファイルの上下を示した。
【課題を解決するための手段】
【０００４】以上の課題を解決するために、ポケットの上部折り曲げ部に開放部から下方向に縦に切り込み（４ａ）を入れる。切り込み以外の折り曲げ部分は切り込み拡大を防止するために溶着し補強（４ｂ）する。またファイルの表紙（５）上に中ポケットの切り込みによってめくることが出来る部分（６）を表紙の色と別にすることで表し，ファイルを開かなくてもファイル上下の判断ができるようにする。
【考案の効果】
【０００５】この考案によれば、ポケットの上部に開放部から下方向に縦に切り込みを入れることによって数枚の書類を入れた場合，めくることが出来る。書類の出し入れが簡単になる。また中ポケットのめくれる部分を表紙に表すことによってこのファイル帳の上下を明確する。
【考案を実施するための最良の形態】
【０００６】この考案一実施形態を、図１と図２に示す。
本実施の形態においては、図１に示すようにポケット（１）の折り曲げ部に開放部（２）から下方向に縦に切り込み（４ａ）を入れ，書類をめくることが出来るようにした。切り込み拡大を防ぐため、切り込み以外の折り曲げ部分は溶着により補強した。（４ｂ）
図２において表紙（５）上に中ポケットのめくれる部分（６）を表紙本体と色別にして表し、ファイルの上下を明確にした。
【図面の簡単な説明】
【０００７】
【図１】「ファイル帳の中ポケットに切り込みが入っていることを示した平面図である。」
【図２】「ファイルの表紙上に中ポケットのめくれる部分を示した平面図である。」
【符号の説明】
【０００８】１      中ポケット
２      開放部
３      綴じ込み部
４ａ    切り込み部
４ｂ    補強部分
５      ファイル表紙
６      中ポケットのめくれる部分
【図１】
0003123430.tif 000003
【図２】
0003123430.tif 000004
【手続補正書】
【提出日】平成17年7月15日(2005.7.15)
【手続補正１】
【補正対象書類名】実用新案登録請求の範囲
【補正対象項目名】請求項２
【補正方法】変更
【補正の内容】
【請求項２】
ファイル帳の表紙（５）上に、中ポケットの切り込みの最下部と綴じ込み部の最上部とを線で結び、出来た三角形（６）を表紙の色と別にして表したファイル帳。
【手続補正書】
【提出日】平成18年4月14日(2006.4.14)
【手続補正１】
【補正対象書類名】実用新案登録請求の範囲
【補正対象項目名】請求項２
【補正方法】変更
【補正の内容】
【請求項２】
ファイル帳の表紙（５）上に、中ポケットの切り込みの最下部と綴じ込み部の最上部とを線で結び、出来た三角形（６）を表紙の色と別にして表した請求項１のファイル帳。
(57)【要約】      （修正有）【課題】肩こりは、医学的には首筋と肩をつなぐ筋肉が、冷え、疲労によって硬くなる事によって、こりを発症させて、多くの人々を悩ませている。【解決手段】本考案のパットは、肌にやさしいガーゼ、木綿等を使用して、非吸湿性の真綿、繊維、合成繊維を詰めて保温性をたかめ、こりの部位を温める事によって、肩こりを解消するものである。【選択図】図１
0003123429.tif 000002
【実用新案登録請求の範囲】
【請求項１】
本考案のパットは、非吸湿性の真綿、繊維、合成繊維等をガーゼ、木綿等の袋に詰めてパットにしたもので、肌にやさしい繊維を使用する事が大切で、肌着のシャツの内側の首筋と肩の筋肉をつなぐ部分、即ち首がでる円の内側に沿ってパットをシャツに、直接取りつける事によって、一体化して、肩こり解消シャツとする。
【請求項２】
本考案のパットは、［請求項１］と同一のものであるが、両面テープをとりつけて、シャツ等の肌着に、肩こりの部位にあたる場所に、自由につけられて、テープの効果がある内は、繰り返し使用できるという特長が有る。
名づけて［肩こり解消パツト］とする。
【考案の詳細な説明】
【技術分野】
【０００１】本考案は、肩こりを解消する為に、保温性の有るパットを、両面テープで、肌着等の下着の内側に着けて、肩こりの部位を温める事によって肩こりを、解消させるものである。
［背景技術］【０００２】肩こりを解消させるパットは、なかった。
［考案の開示］【０００３】医学的に、肩こりの原因は、首筋と肩をつなぐ筋肉が、冷え、疲労によって硬くなる事によって、こりを発症させています。本考案は、その部位に保温性のある、真綿や、繊維等をパットにして、両面テープでシャツ等の肌着の内側に、はりつけて、温める事によって、肩こりを解消させるものである。
［考案が解決しようとする課題］【０００４】肩こりは、多くの人々が悩んでいる課題で、本考案は、この課題を解消させる為になされたものである。
［課題を解決させる為の手段］【０００５】非吸湿性の真綿、繊維、合成繊維等を詰めたパットを肌着等の下着の内側に、両面テープで着けて肩こりの部位を温める。
［考案の効果］【０００６】肩こりの原因は、首筋と肩をつなぐ筋肉が、冷え、疲労によって硬くなる事によって、こりを発症させている。本考案は、その部位を温める事によって肩こりを解消させるものである。
【図面の簡単な説明】
【０００７】［図１］
本考案の装着図である。
［図２］
本考案の平面図である。
［図３］
本考案の断面図である。
【符号の説明】
【０００８】１  パット本体
２  シャツ
３  パットの芯
４  両面テープ
【図１】
0003123429.tif 000003
【図２】
0003123429.tif 000004
【図３】
0003123429.tif 000005
【手続補正書】
【提出日】平成17年7月22日(2005.7.22)
【手続補正１】
【補正対象書類名】実用新案登録請求の範囲
【補正対象項目名】全文
【補正方法】変更
【補正の内容】
【実用新案登録請求の範囲】
【請求項１】
本考案のパットは、非吸湿性の真綿、繊維、合成繊維等ガ?ゼ、木綿等の袋に詰めてパットにしたもので、肌にやさしい繊維を使用する事が大切で、肌着のシャツの内側の首筋と肩の筋肉をつなぐ部分、即ち首がでる円の内側に沿ってパットをシャツに、直接取りつける事によって、一体化して、肩こり解消パットつきシャツとする。
【請求項２】
請求項１のパットに両面テ?プを取りつけて、シャツ等の肌着に、肩こりの部位にあたる場所に、自由につけられて、テ?プの効果がある内は、繰り返し使用できるという特長がある。両面テ?プ付き肩こり解消パットとする。
【手続補正書】
【提出日】平成17年11月22日(2005.11.22)
【手続補正１】
【補正対象書類名】実用新案登録請求の範囲
【補正対象項目名】全文
【補正方法】変更
【補正の内容】
【実用新案登録請求の範囲】
【請求項１】
吸湿性のあるガ−ゼ、木綿、合成繊維等を袋にして、非吸湿性の真綿、繊維、合成繊維の綿状の物を詰合せて、パットにする。それによって保温性の高い又汗の吸いとりの良いパットができる。パットに両面テ−プを取りつけて、シャツ等の肌着の内側の肩こりの部位に、自由に何時でも付けられて、肩こりの解消と予防に、役立てる、肩こり解消パットとするものである。
【手続補正書】
【提出日】平成18年3月27日(2006.3.27)
【手続補正１】
【補正対象書類名】実用新案登録請求の範囲
【補正対象項目名】全文
【補正方法】変更
【補正の内容】
【実用新案登録請求の範囲】
【請求項１】
本考案のパットは、吸湿性のあるガ−ゼ、木綿、合成繊維等を袋にして、非吸湿性の真綿、繊維、合成繊維等の綿状の物を詰合せた保温性の高い肩こり解消パットとする。
(57)【要約】      （修正有）【課題】ティーカップ茶葉室はお湯を注ぐだけで茶葉エキスを抽出でき、飲料後はカップの廃棄が簡単で、お湯があればお茶を飲むことを可能にした。【解決手段】茶葉室に一定量の茶葉を入れてあり、ティーカップ上部よりお湯を注ぐことにより茶葉室にてお茶を抽出し上部の空間へ一定の濃度のお茶を作り出す。蜂の巣フィルターにて、茶葉を上部室へ入り込む量を最小にする。【選択図】図１
0003123428.tif 000002
【実用新案登録請求の範囲】
【請求項１】
コップの底部に設けた茶葉室空間にてお茶を抽出するティーカップ。
【考案の詳細な説明】
【考案の詳細な説明】
従来は茶葉を一定量袋に入れコップへ入れお湯を注ぎお茶を抽出していた。
ティーカップ茶葉室は茶葉がお湯と良く馴染む空間をコップの底部に有しておりお茶を美味しい濃度へ抽出を可能にした。
このティーカップ茶葉室はお湯を注ぐだけで茶葉エキスを抽出でき飲料後はカップの廃棄が簡単でお湯があればお茶を飲むことを可能にした。
ティーカップ茶葉室のお茶の種類はお湯にて抽出可能な茶葉であれば何でも可能である。
【図面の簡単な説明】茶葉室に一定量の茶葉を入れてあり、ティーカップ上部よりお湯を注ぐことにより茶葉室にてお茶を抽出し上部の空間へ一定の濃度のお茶を作り出す。
蜂の巣フィルターにて、茶葉を上部室へ入りこむ量を最小にする。
お茶の抽出に一定時間を経過後茶葉室上部室のお茶の濃度が一定になった時点でお茶を美味しく頂くことが可能にするものである。
【符号の説明】
0003123428.tif 000003
【手続補正書】
【提出日】平成17年8月15日(2005.8.15)
【手続補正１】
【補正対象書類名】実用新案登録請求の範囲
【補正対象項目名】全文
【補正方法】変更
【補正の内容】
【実用新案登録請求の範囲】
【請求項１】
コップの低部に設けた茶葉室空間とフィルターを設けたお茶抽出用のティーカップ。
【手続補正２】
【補正対象書類名】図面
【補正対象項目名】全図
【補正方法】変更
【補正の内容】
【図１】
0003123428.tif 000004
【手続補正書】
【提出日】平成17年11月4日(2005.11.4)
【手続補正１】
【補正対象書類名】実用新案登録請求の範囲
【補正対象項目名】全文
【補正方法】変更
【補正の内容】
【実用新案登録請求の範囲】
【請求項１】
コップの低部に茶葉室空間とフィルターとを設けたお茶抽出用のティーカップ。
(57)【要約】      （修正有）【課題】四方を合わせ畳んだ状態が美しい形とされているハンカチにおいて、身体が不自由な場合困難を要し、濡れた手を拭いたり汗を拭き取った後、形状は崩れたまま収めていた。そこで精神的、現実的観点より癒しの形状を持つ自然のモチーフを取り入れ、素材は綿ガーゼを用いたハンカチを提供する。【解決手段】ハンカチの形を花形に設け、四方合わせ畳む事無く濡れた手を拭いたり汗を拭き取った後も、そのまま持ってもバッグ、ポケットに収めても形になる様、円からなる３６０度からの各花びらの切れ目形状は、どの場所からつかみ収めても、花びらの形成を損なうものでは無い様にする。【選択図】図２
0003123447.tif 000002
【実用新案登録請求の範囲】
【請求項１】
ハンカチの形を四角から花形に設ける事で収納の際四方を合わせ畳む事無く、濡れた手を拭いたり、汗を拭き取った後もそのまま手に持ってもバッグ、ポケットに収めても花びらの形になる様考案した所を特徴とする畳まずつまむだけで花びらの形になるハンカチ
【考案の詳細な説明】
【技術分野】
【０００１】  本考案は畳んだ状態が美しいとされている場合のハンカチに、畳む事無く、収めても絵になる形を設けた。
【背景技術】
【０００２】  濡れた手を拭いたり、汗を拭き取った後、四方を合わせ折り畳むハンカチは身体が不自由な時は尚困難を要し、又その畳んだ状態がが美しい形とされている場合のハンカチも形状は崩れたままに収めていた。
【考案の開示】
【考案が解決しようとす課題】
【０００３】  四方を合わせ畳む事無く収めても絵になる素材と形、心の癒しとなる素材と形で前述の欠点を解決しようとするものである。
【課題を解決するための手段】
【０００４】  本考案はハンカチの形を花形に設け四方を合わせ畳む事無く濡れた手を拭いたり、汗を拭き取った後もそのまま手に持ってもバッグ、ポケットに収めても形になる様自然のモチーフで癒しの形を考案。
【考案の効果】
【０００５】  上述の様に、本考案の畳まず、つまむだけで花びらの形になるハンカチは濡れた手を拭いたり、汗を拭き取る事は勿論、使用後も四方合わせて畳む事無く、使用前と同様の絵になる形になる様考案。
【考案を解決するための最良の形態】
【０００６】  ハンカチの形態を何処を折っても花の様に見える形に３６０度から考案、又素材のガーゼ織物、綿１００％を縫製形成する事により四方合わせる事無く収めても自然のモチーフが出せる様にする。
【実施例】
【０００７】  図１および図２には本考案のハンカチにおける実施の１形態を例示しており図１は花形の全容、ガーゼ織物、綿１００％を縫製形成したもので円の大きさ直系２６ｃｍ平方程度の形状にて形成し、３６０度より考案、どの点でつまみ上げても形状が損なう事無く癒しの花になる様形成、構成は１枚の花びら部１ア、１イ、１ウ点より形成し同様に各１ａ、１ｂ、１ｃ点を花びら部４枚に展開させ１枚の花形と成る。
裏面部も構成は前記と基本的に同一であるため省略。【０００８】  図２には本考案の畳まずつまむだけで花びらの形になる実施例を例示しており構成は前記した図１の態様のものと基本的に同一である。図２の１エは花形中央部よりつまむ、花びらとして形成されたまま均一に重なる形状。１オは花びらの中心部よりつまむ花びらとして２枚が形成のまま他の３枚の花びらに重なる。１カは２枚の花びら中心部よりつまむ花びら３枚が形成のまま他２枚の花びらに重なる。【０００９】  図示していないが本考案のつまむだけで花びらになる形はつかむ位置を点にて示しているが円から成る３６０度の各花びらの切れ目形状は多少の位置ずれも花びらの形成を損なうものでは無い様考案。
【図面の簡単な説明】
【００１０】
【図１】本考案のハンカチにおける実施の１形態を例示している平面図。
【図１】本考案のハンカチを畳まず  つまむだけで花びらの形になる実施例図。
【符号の説明】
【００１１】  １    花形全容  平面図
１ア  つまみ点  花形中央
１イ  つまみ点  花びら中央
１ウ  つまみ点  花びら２枚の中央
１エ  つまみ上げた状態  花形中央より
１オ  つまみ上げた状態  花びら中央より
１カ  つまみ上げた状態  花びら２枚の中央より
【図１】
0003123447.tif 000003
【図２】
0003123447.tif 000004
【図３】
0003123447.tif 000005
【図４】
0003123447.tif 000006
【手続補正書】
【提出日】平成18年4月14日(2006.4.14)
【手続補正２】
【補正対象書類名】明細書
【補正対象項目名】００１０
【補正方法】変更
【補正の内容】
【００１０】
【図１】本考案の畳まずつまむだけで花びらの形になるハンカチの全容。記号は図２、３、４のつまんだ状態で成る形成のつまむ位置例。
【図２】畳まずつまんだ状態での形成の１例、図１の１ア点よりつまむ。
【図３】畳まずつまんだ位置を変えた状態での形成の２例、図１の１ウ点よりつまむ。
【図４】畳まずつまんだ位置を変えた状態での形成の３例、図１の１イ点よりつまむ。